(57)【要約】【課題】複数の発光モジュールを有する発光システムにおいて、各発光モジュールの制御を容易に行う。【解決手段】発光システム１００は、複数の発光モジュール２０および制御部１０を備える。発光モジュール２０は、発光部２６を備える。制御部１０は、複数の発光モジュール２０を制御する。発光モジュール２０は、発光部２６に照射された光を検知する検知部２７と、検知部２７の検知結果を示す検知情報を制御部１０に送信する通信部２２とを有する。制御部１０は、取得した検知情報に基づいて、複数の発光モジュール２０を制御する。【選択図】図１
2017182896.tif 000002
【特許請求の範囲】
【請求項１】
発光部を備える複数の発光モジュールと、
前記複数の発光モジュールを制御する制御部と、
を備え、
前記発光モジュールは、前記発光部に照射された光を検知する検知部と、前記検知部の検知結果に基づく検知情報を前記制御部に送信する通信部とを有し、
前記制御部は、取得した前記検知情報に基づいて、前記複数の発光モジュールを制御する発光システム。
【請求項２】
請求項１に記載の発光システムにおいて、
前記発光モジュールは、前記検知部の検知結果が予め定められた基準を満たすか否かを判定する判定部をさらに有し、
前記通信部は、前記判定部が基準を満たすと判定した場合に、前記検知情報を前記制御部に送信する発光システム。
【請求項３】
請求項２に記載の発光システムにおいて、
前記検知部は、前記発光部で生じた起電力を検出する発光システム。
【請求項４】
請求項２または３に記載の発光システムにおいて、
前記制御部は、前記複数の発光モジュールのそれぞれに付与するアドレスを示すアドレス情報を生成し、生成した前記アドレス情報を前記発光モジュールに対して出力する発光システム。
【請求項５】
請求項４に記載の発光システムにおいて、
前記制御部は、前記検知情報を取得した順番に基づいて、前記アドレス情報を生成する発光システム。
【請求項６】
請求項４または５に記載の発光システムにおいて、
前記制御部は、前記複数の発光モジュールに対して前記アドレス情報を出力し、
前記検知情報を出力した前記発光モジュールが前記アドレス情報を取得する発光システム。
【請求項７】
請求項４〜６のいずれか一項に記載の発光システムにおいて、
前記発光モジュールは、前記制御部から前記アドレス情報を取得した場合に発光する発光システム。
【請求項８】
請求項１〜７のいずれか一項に記載の発光システムにおいて、
前記発光モジュールは、前記検知情報を前記制御部に送信可能なスタンバイ状態と、前記検知情報を前記制御部に送信できない非スタンバイ状態とをとることができ、
前記制御部は、前記発光モジュールを前記スタンバイ状態にするためのスタンバイ信号を前記複数の発光モジュールに対して一斉に送信し、
前記スタンバイ信号を受信した前記複数の発光モジュールは前記スタンバイ状態をとり、
前記スタンバイ状態の前記発光モジュールの前記発光部は発光しない発光システム。
【請求項９】
請求項１〜８のいずれか一項に記載の発光システムにおいて、
前記複数の発光モジュールは、それぞれ通信線を介して前記制御部と接続されており、
前記制御部は、ＤＭＸ５１２−Ａの規格に準じた形式で前記複数の発光モジュールを制御する発光システム。
【請求項１０】
請求項１〜９のいずれか一項に記載の発光システムにおいて、
前記発光モジュールは、一方の第１面から光を取り出すように構成された発光パネルを備え、
前記発光部は前記発光パネルに設けられた面光源であり、
前記検知部は、前記発光パネルの前記第１面に照射された外光を検知する発光システム。
【請求項１１】
請求項１０に記載の発光システムにおいて、
少なくとも前記通信部を構成する演算処理装置は、前記発光パネルの、前記第１面とは反対側の第２面側に設けられている発光システム。
【請求項１２】
発光部を備える複数の発光モジュールにアドレスを設定するアドレス設定装置であって、
前記発光部に照射された光の検知結果に基づく検知情報を取得し、
前記検知情報に基づいて、前記複数の発光モジュールのそれぞれに付与するアドレスを示すアドレス情報を生成し、
生成した前記アドレス情報を前記発光モジュールに対して出力するアドレス設定装置。
【請求項１３】
発光部を備える複数の発光モジュールにアドレスを設定するアドレス設定方法であって、
前記発光部に照射された光の検知結果に基づく検知情報を取得し、
前記検知情報に基づいて、前記複数の発光モジュールのそれぞれに付与するアドレスを示すアドレス情報を生成し、
生成した前記アドレス情報を前記発光モジュールに対して出力するアドレス設定方法。
【発明の詳細な説明】
【技術分野】
【０００１】
本発明は、発光システム、アドレス設定装置、およびアドレス設定方法に関する。
【背景技術】
【０００２】
有機ＥＬ（organic electroluminescence）パネルやＬＥＤ（Light Emitting Diode）パネルなどのパネル状の発光源を複数並べて配置し、一つの発光装置として使用する場合がある。このような発光装置では、複数の発光源を制御することにより、様々な形態で照明を行うことが可能になる。
【０００３】
一方で、発光装置の制御を行うための規格としては、たとえばＤＭＸ５１２−Ａ規格がある。ＤＭＸ５１２−Ａ規格において、発光装置は、複数の発光源を制御するためのマスタ制御部と、発光源及び制御部を含むスレーブ装置とからなる。そしてマスタ制御部は、通信線を介してスレーブ装置に対して制御データを含むコマンドを送信する。スレーブ装置が有する制御部は、コマンドに含まれる制御データに従って発光源を制御する。
【０００４】
ここで、複数の発光モジュールを制御する場合、各発光モジュールにアドレスを設定する必要がある。従来の発光装置では、ディップスイッチやロータリースイッチを用いて、それぞれの発光モジュールにアドレスを設定する必要があった。この場合、アドレスの設定に労力を要する。
【０００５】
特許文献１には、わたり配線された状態の複数の誘導照明器具に物理アドレスを設定する方法が記載されている。この方法では、制御ユニットに一番目に接続されている誘導照明器具に物理アドレスとして１が送信され、記憶される。そして、その誘導照明器具は、自己の物理アドレスに１を足した結果を次段の誘導照明器具の物理アドレスとして送信する。
【０００６】
また、特許文献２には、通信線に接続されるオンオフスイッチを備える照明モジュールが記載されている。特許文献２において、面光源の駆動制御部は、通信線を介してマスタ装置からのアドレス付与コマンドを受信する。そして、各照明モジュールは、アドレスの設定後、スイッチをオンにして次の照明モジュールがマスタ装置と通信可能となるようにする。
【先行技術文献】
【特許文献】
【０００７】
【特許文献１】特開平１０−１８８１５９号公報
【特許文献２】国際公開第２０１４／０１６９０３号パンフレット
【発明の概要】
【発明が解決しようとする課題】
【０００８】
しかしながら、特許文献１では、アドレス設定時のわたり配線と、それ以外の時のバス配線とを切り替える手段が必要であるとともに、各誘導照明器具が物理アドレスを生成する機能を有する必要があった。また、特許文献２では、各発光モジュールにオンオフスイッチを設ける必要があった。
【０００９】
本発明が解決しようとする課題としては、複数の発光モジュールを有する発光システムにおいて、各発光モジュールの制御を容易に行うことが一例として挙げられる。
【課題を解決するための手段】
【００１０】
請求項１に記載の発明は、
発光部を備える複数の発光モジュールと、
前記複数の発光モジュールを制御する制御部と、
を備え、
前記発光モジュールは、前記発光部に照射された光を検知する検知部と、前記検知部の検知結果に基づく検知情報を前記制御部に送信する通信部とを有し、
前記制御部は、取得した前記検知情報に基づいて、前記複数の発光モジュールを制御する発光システムである。
【００１１】
請求項１２に記載の発明は、
発光部を備える複数の発光モジュールにアドレスを設定するアドレス設定装置であって、
前記発光部に照射された光の検知結果に基づく検知情報を取得し、
前記検知情報に基づいて、前記複数の発光モジュールのそれぞれに付与するアドレスを示すアドレス情報を生成し、
生成した前記アドレス情報を前記発光モジュールに対して出力するアドレス設定装置である。
【００１２】
請求項１３に記載の発明は、
発光部を備える複数の発光モジュールにアドレスを設定するアドレス設定方法であって、
前記発光部に照射された光の検知結果に基づく検知情報を取得し、
前記検知情報に基づいて、前記複数の発光モジュールのそれぞれに付与するアドレスを示すアドレス情報を生成し、
生成した前記アドレス情報を前記発光モジュールに対して出力するアドレス設定方法である。
【図面の簡単な説明】
【００１３】
【図１】実施形態に係る発光システムの機能ブロック図の一例を示す図である。
【図２】実施例に係る発光システムの構成を示すブロック図である。
【図３】発光モジュールの構成の一例を模式的に示す断面図である。
【図４】発光パネルの構成の一例を示す断面図である。
【図５】制御部が通信線に出力する制御データの構造を説明するための図である。
【図６】発光モジュールのアドレスを設定するときの処理を示すフローチャートである。
【図７】制御部が発光制御部に送信する制御データのフォーマットの一例を示す図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
以下に示す説明において、発光システム１００の各構成要素は、ハードウエア単位の構成ではなく、機能単位のブロックを示している。発光システム１００の制御部１０、通信部２２、発光制御部２４、判定部２５、および記憶部２１は、任意のコンピュータのＣＰＵ、メモリ、メモリにロードされたプログラム、そのプログラムを格納するハードディスクなどの記憶メディア、ネットワーク接続用インターフェースを中心にハードウエアとソフトウエアの任意の組合せによって実現される。そして、その実現方法、装置には様々な変形例がある。
【００１６】
（実施形態）
図１は、実施形態に係る発光システム１００の機能ブロック図の一例を示す図である。本実施形態に係る発光システム１００は、複数の発光モジュール２０および制御部１０を備える。発光モジュール２０は、発光部２６を備える。制御部１０は、複数の発光モジュール２０を制御する。発光モジュール２０は、発光部２６に照射された光を検知する検知部２７と、検知部２７の検知結果に基づく検知情報を制御部１０に送信する通信部２２とを有する。制御部１０は、取得した検知情報に基づいて、複数の発光モジュール２０を制御する。
【００１７】
発光部２６は、例えば有機ＥＬ又はＬＥＤである。ただし、発光部２６は他の光源であってもよい。また発光部２６は、例えばパネル状の光源であるが、パネル状ではなくても良い。有機ＥＬ等は、電流を流す、または電圧を印加すると、発光する。一方、電流を流さない状態で光を発光層に照射すると。起電力を生じるという性質も合わせ持っている。
【００１８】
検知部２７は、発光部２６で生じた起電力を検出する。検知部２７は、たとえば電圧計または電流計である。
【００１９】
制御部１０と複数の発光モジュール２０とは、有線または無線により接続されている。発光部２６に光が照射されると発光部２６では起電力が発生する。そして、発生した起電力を検知部２７が検知し、通信部２２が検知情報を制御部１０に送信する。制御部１０は、検知情報を受信すると、発光モジュール２０に対し制御信号を出力する。制御信号は特に限定されず、たとえばアドレス付与コマンドや、発光制御コマンド等であり得る。
【００２０】
検知情報を送信した発光モジュール２０は、制御部１０から制御信号を取得し、取得した制御信号に応じて動作する。
【００２１】
実施形態に係る発光システム１００によれば、発光モジュール２０は、発光部２６に照射された光を検知する検知部２７と、検知部２７の検知結果に基づく検知情報を制御部１０に送信する通信部２２とを有する。そして制御部１０は、取得した検知情報に基づいて、複数の発光モジュール２０を制御する。したがって、発光部２６に光を照射することにより、アドレス等が設定されていない状態でも各発光モジュール２０を容易に制御することができる。
【００２２】
（実施例）
図２は、実施例に係る発光システム１００の構成を示すブロック図である。本実施例に係る発光システム１００は、実施形態に示した発光システム１００に、制御部側通信インターフェース（Ｉ／Ｆ）１２、操作部４０、通信線３２、通信インターフェース（Ｉ／Ｆ）２３、発光制御部２４、記憶部２１、および判定部２５を追加したものである。本実施例において発光システム１００は、制御部側通信インターフェース１２、制御部１０、操作部４０、通信線３２、および複数の発光モジュール２０を含んで構成される。
【００２３】
本実施形態に係る発光システム１００において、制御部１０は、発光部２６を備える複数の発光モジュール２０にアドレスを設定するアドレス設定装置として機能する。このアドレス設定装置は、発光部２６に照射された光の検知結果に基づく検知情報を取得し、検知情報に基づいて、複数の発光モジュール２０のそれぞれに付与するアドレスを示すアドレス情報を生成する。そして、生成したアドレス情報を発光モジュール２０に対して出力する。
【００２４】
操作部４０は、制御部１０への入力を受け付ける。具体的には、操作部４０は、入力インターフェースであり、発光システム１００のユーザによって操作される。制御部１０は、操作部４０からの入力に従って、制御データを生成して出力する。制御部側通信インターフェース１２は、制御部１０を通信線３２に接続するインターフェースとなっている。
【００２５】
複数の発光モジュール２０は、それぞれ通信線３２を介して制御部１０と接続されており、制御部１０は、ＤＭＸ５１２−Ａの規格に準じた形式で複数の発光モジュール２０を制御する。
【００２６】
本実施例に係る発光システム１００において、発光モジュール２０は、通信インターフェース２３、通信部２２、発光制御部２４、発光部２６、検知部２７、判定部２５、および記憶部２１を備える。判定部２５は、検知部２７の検知結果が予め定められた基準を満たすか否かを判定する。そして、通信部２２は、判定部２５が基準を満たすと判定した場合に、検知情報を制御部１０に送信する。発光モジュール２０について以下に詳しく説明する。
【００２７】
発光制御部２４は、発光部２６を制御する。具体的には、発光制御部２４は、通信線３２を介して制御部１０から送信されてきた制御データにしたがって、発光部２６を制御する。通信インターフェース２３は、通信部２２を通信線３２に接続するインターフェースとなっている。
【００２８】
検知部２７は、発光部２６に照射された光を検知する。検知部２７は、たとえば電圧計または電流計である。具体的には、検知部２７は、後述する第１電極２０２および第２電極２１２の間に生じる電圧、または電流を検知する。発光部２６に光が照射されると起電力が生じ、その起電力を、検知部２７が電圧または電流として検知する。起電力はたとえば、順方向、すなわち陰極に対して陽極が正電位となるように発生する。検知部２７は、検知結果として電圧値または電流値を示す情報を生成する。検知部２７は、たとえば順方向の電圧または電流を測定できるよう、オペアンプ等を含んで構成されていても良い。また、陰極と陽極の一方がＧＮＤに接続されている場合、その他方の電位のみを測定する様に構成されていても良い。
【００２９】
判定部２５は、検知部２７の検知結果を取得して予め定められた基準を満たすか否かを判定する。たとえば判定部２５は、電流値または電圧値が予め定められた基準値を超えた場合、基準を満たすと判定する。判定部２５は基準を示す情報を記憶部２１から読み出して判定に用いることができる。基準値はたとえば、通常の外光により発生する電流値または電圧値よりも高く、かつ、懐中電灯や携帯端末のライト等により照射される光によって想定される電流値または電圧値よりも低い値である。基準値は、事前テスト等により決定し、記憶部２１に記憶させることができる。
【００３０】
通信部２２は、発光制御部２４と通信線３２との接続を制御する。通信部２２は、通信インターフェース２３を介して通信線３２を流れている信号を受信する。また、発光モジュール２０の通信部２２には、その発光モジュール２０のアドレスを設定することができる。そうすると、制御部１０は、アドレス毎に各発光モジュール２０を独立に制御することができる。アドレスを設定する過程において、通信部２２は、通信インターフェース２３を介して、検知部２７の検知結果に基づく検知情報を制御部１０に送信する。
【００３１】
図３は、発光モジュール２０の構成の一例を模式的に示す断面図である。本実施例において、発光モジュール２０は、一方の第１面２３１から光を取り出すように構成された発光パネル２３０を備える。発光部２６は発光パネル２３０に設けられた面光源であり、検知部２７は、本図の矢印で示すように発光パネル２３０の第１面２３１に照射された外光を検知する。
【００３２】
また、少なくとも通信部２２を構成する演算処理装置３０は、たとえば、発光パネル２３０の第２面２３２側に設けられている。発光パネル２３０の第２面２３２とは、上記した第１面２３１とは反対側の面である。なお、演算処理装置３０が発光パネル２３０の第１面２３１側に設けられる場合は、発光部２６の周辺に設けられる。本実施例において、演算処理装置３０は、通信部２２、発光制御部２４、および判定部２５を構成する。また、発光パネル２３０の第２面２３２には、さらに検知部２７を構成する回路、記憶部２１を構成するメモリ、通信インターフェース２３を構成する接続端子等が設けられていても良い。
【００３３】
このように、演算処理装置３０を発光パネル２３０の第２面２３２側に設けることにより、発光領域の外側の額縁を狭くすることができる。したがって、発光モジュール２０を複数敷き詰めて並べるタイリングを行った場合にもデザイン性に優れる。一方、ディップスイッチ等を用いてアドレス設定を行おうとする場合、ディップスイッチ等が第２面２３２に位置することとなり、発光モジュール２０を壁などに施工した後にディップスイッチ等を操作してアドレス設定をすることは困難となる。その場合でも、本実施例に係るアドレス設定方法により、各発光モジュール２０に容易にアドレスを付与できる。また、アドレスの再付与も容易である。
【００３４】
図４は、発光パネル２３０の構成の一例を示す断面図である。本実施例において、発光部２６は有機ＥＬパネルであり、基板２００上に、第１電極２０２、ホール注入層２０６、発光層２０８、電子注入層２１０、及び第２電極２１２がこの順に積層された構成を有している。また、第１電極２０２上には、複数の隔壁２０４が形成されている。隔壁２０４は絶縁性の材料から形成されており、ホール注入層２０６、発光層２０８、電子注入層２１０、及び第２電極２１２の積層構造を複数の領域に区画している。隣り合う領域は、少なくとも発光層２０８が異なる材料により形成されており、発光スペクトルは互いに異なる最大ピーク波長を有している。また、発光パネル２３０は白色照明パネルであってもよい。この場合、複数の隔壁２０４は形成されていなくても良い。
【００３５】
基板２００は、発光層２０８が発光した光を透光する材料（例えばガラスや樹脂）から形成されている。第１電極２０２は陽極であり、発光層２０８が発した光を透過させる。第１電極２０２は、例えばＩＴＯであるが、他の材料で構成されていても良い。第１電極２０２は、例えばスパッタリング法により形成されている。また基板２００のうち第１電極２０２とは逆側の面には、光取出層２２０（例えば光取り出しフィルム）が設けられている。
【００３６】
隔壁２０４は、長手形状を有しており、例えば第１電極２０２上に有機絶縁層をスピンコート法又は印刷法で形成し、この有機絶縁層をパターニングすることにより形成される。有機絶縁層が感光性の材料で形成されている場合、このパターニングは、露光及び現像により、行われる（フォトリソグラフィ技術）。隔壁２０４の断面形状は台形であり、底辺が第１電極２０２に接している。
【００３７】
なお、第１電極２０２の上に複数の補助電極（バスライン）が形成されることがある。補助電極は、第１電極２０２よりも抵抗の低い材料から形成されている。この場合、隔壁２０４は、補助電極上に形成される。
【００３８】
ホール注入層２０６、発光層２０８、及び電子注入層２１０は、いずれも有機層である。これらの層は、蒸着法又は塗布法（例えばインクジェット法）を用いて形成される。なお、ホール注入層２０６と発光層２０８の間にはホール輸送層が形成されてもよいし、発光層２０８と電子注入層２１０の間には電子輸送層が形成されても良い。
【００３９】
第２電極２１２は陰極であり、例えばＡｌなどの金属で形成されている。第２電極２１２は、スパッタリング法により導体層を形成した後、この導体層をパターニングすることにより、形成されている。第２電極２１２は、隔壁２０４の上面で分割されている。
【００４０】
このような構成において、発光層２０８は、発光スペクトル別に発光することができる。例えば本図に示す例では、発光層２０８は、赤色を発光する層（発光層２０８（Ｒ））、緑色を発光する層（発光層２０８（Ｇ））、及び青色を発光する層（発光層２０８（Ｂ））が繰り返し設けられている。発光制御部２４は、いずれの発光層をどの程度の強度で発行させるかを、制御部１０から送信された制御データに基づいて定める。
【００４１】
図５は、制御部１０が通信線３２に出力する制御データの構造を説明するための図である。ＤＭＸ５１２−Ａでは、通信線の電気仕様としてＥＩＡ−４８５規格（ＲＳ−４８５規格）が採用されている。このため、制御部１０と発光モジュール２０の間の通信は、非同期シリアル通信である。そしてその信号のフォーマットは、ブレーク信号と呼ばれるスタート信号の後、１バイト（スロット０）のスタートコードと、それに続く５１２バイトのデータ部分とから構成されている。
【００４２】
スタートコードとしては、照明制御などの各種の制御を行うときにはヌルコマンドが使用される。一方、独自のコマンドを用いる場合、スタートコードとしては、「０ｘ９１」が用いられる。この場合、図５（ａ）に示すように、スタートコードの次の２バイト（スロット１，スロット２）には、Ｍａｎｕｆａｃｔｕｒｅｒ  ＩＤと呼ばれる会社・組織を識別するＭＩＤ（ＭＩＤ−Ｈ，ＭＩＤ−Ｌ）が使用される。そして残りの５１０バイトを用いて、独自のコマンドが送信される。
【００４３】
本実施例において、発光モジュール２０に対してアドレス設定を行うときには、スタートコードとしては「０ｘ９１」が用いられる。そして２バイトのＭＩＤを除いた残りの５１０バイトを用いて、アドレス設定のためのデータが送信される。
【００４４】
具体的には、図５（ｂ）から図５（ｅ）に示すように、最初から４バイト目（スロット３）には、コマンド長（データ長）を示すデータが設定され、５バイト目（スロット４）で、データの属性を示すコマンド（例えば６バイト目（スロット５）以降のデータがアドレスであることを示すデータ）が設定される。例えばアドレス設定を開始する場合には、図５（ｂ）のようにコマンド長は「１」であり、スロット４としては「０ｘ００」が使用される。そして、スロット５以降の付随するデータは無いことを示している。また、発光モジュール２０から制御部１０にアドレスを要求する場合には、図５（ｃ）のようにスロット４としては「０ｘ０１」が使用される。
【００４５】
そして、制御部１０から発光モジュール２０にアドレスを実際に送信する場合には、図５（ｄ）のようにスロット４として「０ｘ１０」が使用され、６バイト目以降で、アドレスが送信される。本図に示す例では、６バイト目（スロット５）及び７バイト目（スロット６）のデータ（すなわち２バイト）で、アドレスが示されている。
【００４６】
また、アドレス設定を終了する場合には、図５（ｅ）のようにスロット４としては「０ｘ１１」が使用される。ただし、各コマンドは図５（ｂ）から図５（ｅ）に示すものに限定されない。
【００４７】
図６は、発光モジュール２０のアドレスを設定するときの処理を示すフローチャートである。本実施形態に係るアドレス設定方法は、発光部２６を備える複数の発光モジュール２０にアドレスを設定する方法である。本方法では、発光部２６に照射された光の検知結果に基づく検知情報を取得し、検知情報に基づいて、複数の発光モジュール２０のそれぞれに付与するアドレスを示すアドレス情報を生成する。そして、生成したアドレス情報を発光モジュール２０に対して出力する。以下に詳しく説明する。
【００４８】
発光モジュール２０は、検知情報を制御部１０に送信可能なスタンバイ状態と、検知情報を制御部１０に送信できない非スタンバイ状態とをとることができる。スタンバイ状態において、検知部２７は発光部２６に照射された光を検知し、判定部２５に送り出すことができるモードとなっている。そしてスタンバイ状態においては、発光制御部２４は発光部２６を発光させるための電力を発光部２６の陰極および陽極に供給しない。その結果、発光部２６はスタンバイ状態において消灯状態となる。また、検知部２７は、スタンバイ状態において発光部２６の陰極および陽極の少なくとも一方に接続されている。たとえば、スタンバイ状態は検知部２７が発光部２６に照射された光を検知できる状態であり、非スタンバイ状態は検知部２７が発光部２６に照射された光を検知できない状態である。この場合、非スタンバイ状態において、検知部２７は発光部２６の陰極および陽極のいずれにも接続されない状態とすることができる。そして、発光部２６は発光制御部２４に接続されて制御される。
【００４９】
なお、上記に限らず、スタンバイ状態と非スタンバイ状態のいずれにおいても検知部２７が発光部２６の陰極および陽極の少なくとも一方に接続され、電圧値または電流値を測定、検知していても良い。そして検知部２７は、非スタンバイ状態においても、発光部２６の陰極と陽極の間に発光制御部２４の制御によって流れる電流、または印加される電圧を測定、検知してもよい。この場合、検知部２７が測定した電圧値または電流値を出力する先を切り替えてもよい。すなわち、検知部２７が検知結果を判定部２５に出力する状態をスタンバイ状態とし、判定部２５に出力しない状態を非スタンバイ状態としても良い。また、判定部２５が判定結果を通信部２２に出力する状態をスタンバイ状態とし、出力しない状態を非スタンバイ状態としても良い。また、判定部２５が基準を満たすと判定したとき、後述するように通信部２２が検知情報を制御部１０に送信する状態をスタンバイ状態とし、一方、送信しない状態を非スタンバイ状態としても良い。
【００５０】
アドレスを付与する動作を開始するに当たっては、先ず、発光システム１００全体がアドレスモードに設定される。例えば、ユーザが操作部４０に、アドレスモードに設定する旨の入力操作を行うと、操作部４０はアドレス付与指令を生成して制御部１０に出力する（ステップＳ１０）。そして、制御部１０は、アドレス付与指令を受信すると、発光モジュール２０をスタンバイ状態にするためのスタンバイ信号を作成し、複数の発光モジュール２０に出力する。
【００５１】
スタンバイ信号は、たとえばアドレスモード開始のためのコマンド（アドレスモード開始コマンド）であり、図５（ｂ）で示したようなコマンドである。具体的には、制御部１０は、作成したアドレスモード開始コマンドを、制御部側通信インターフェース１２及び通信線３２を介して複数の発光モジュール２０各々に送信する（ステップＳ１１）。各発光モジュール２０は、通信インターフェース２３が制御部側通信インターフェース１２から送信されたアドレスモード開始コマンドを受信するとスタンバイ状態となる。そして各通信部２２は、検知情報を送信しない限り、通信線３２を流れるアドレス付与コマンドを受け付けない状態になる（アドレスモード：ステップＳ１２）。
【００５２】
このように制御部１０は、スタンバイ信号を複数の発光モジュール２０に対して一斉に送信する。そしてスタンバイ信号を受信した複数の発光モジュール２０はスタンバイ状態をとる。スタンバイ状態の発光モジュール２０の発光部２６は発光しない。発光部２６が発光しない状態であることで、光の照射による起電力を検知部２７が検知できる。また、発光モジュール２０が発した光が、他の発光モジュール２０の検知部２７で検知されることがない。
【００５３】
ここで、使用されるコマンドには、上記したＤＭＸ５１２−Ａ規格の独自コマンドのフォーマットが利用される。図５（ｂ）に示すように、スロット０〜スロット２は図５（ａ）に示した通りである。スロット３がコマンド長（バイト数）、スロット４がコマンド内容を示すコマンド番号である。
【００５４】
アドレスモード開始コマンド送付後、ユーザがいずれかの発光モジュール２０の発光部２６に光を照射する。光を照射する発光モジュール２０は通信線３２に接続された複数の発光モジュール２０のうちいずれでも構わない。光の照射は懐中電灯や、携帯端末のライトなどを用いて行える。すると、発光部２６に起電力が生じ、検知部２７が電圧または電流を検知する（ステップＳ１３）。検知部２７の検知する電圧値または電流値が基準値を超えると、判定部２５は基準を満たすと判定する。そして、通信部２２は通信インターフェース２３を介して検知情報を制御部１０に送信する（ステップＳ１４）。検知情報は、たとえば図５（ｃ）に示したアドレス要求コマンドである。検知情報を送信すると、通信部２２はアドレス付与コマンドを受け付け可能な状態になる。
【００５５】
制御部１０は、制御部側通信インターフェース１２を介してアドレス要求コマンドを受け付けると、アドレス（例えばＤＭＸアドレス）を決定する（ステップＳ１５）。制御部１０は、アドレスモードの開始後、アドレス要求コマンドを受け付ける度にアドレスの値を昇順することで決定する。そして制御部１０は、その決定したアドレスを含むアドレス付与コマンド（アドレス情報）を作成する（ステップＳ１６）。アドレス付与コマンドは、例えば図５（ｄ）に示したようにスロット５にＤＭＸアドレスの上位８ビット（ＡＤ−Ｈ）を含み、スロット６にＤＭＸアドレスの下位８ビット（ＡＤ−Ｌ）を含む。たとえば、ＤＭＸアドレスを０番とする場合、スロット５として「０ｘ００」、スロット６として「０ｘ００」を使用する。なお、制御部１０は、アドレスの値を予め定められた所定の間隔で昇順して決定しても良い。また、制御部１０は、アドレスを０番以外の値から決定しはじめても良い。
【００５６】
制御部１０は、作成したアドレス付与コマンドを、制御部側通信インターフェース１２を介して通信線３２に出力する（ステップＳ１７）。上記したように、複数の発光モジュール２０の通信部２２は、検知情報を送信しない限り、通信線３２を流れるアドレス付与コマンドを受け付けない。このため、通信線３２を流れるアドレス付与コマンドは、検知情報を出力した一つの発光モジュール２０のみが受信可能である。したがって、制御部１０は、複数の発光モジュール２０に対してアドレス情報を出力し、検知情報を出力した発光モジュール２０がアドレス情報を取得することができる。
【００５７】
発光モジュール２０において、受信されたコマンドは通信インターフェース２３を介して通信部２２に供給される。検知情報を出力した通信部２２は、供給されたコマンドのスロット０〜スロット４に応じてアドレス付与コマンドであることを確認すると、スロット５及びスロット６からアドレスを取り出してそれを自身のアドレスとして設定または更新する（ステップＳ１８）。そしてアドレスは、例えば、発光モジュール２０が有する記憶部２１に記憶される。
【００５８】
そして通信部２２は、アドレスモードを終了する（ステップＳ１９）。すなわち、アドレスを設定した発光モジュール２０はアドレスモードを終了しているため、その発光モジュール２０が有する通信部２２は、通信線３２を流れるアドレス付与コマンドを受け付けない。また、アドレスモードを終了した発光モジュール２０は非スタンバイ状態となる。
【００５９】
発光モジュール２０は、制御部１０からアドレス情報を取得した場合、発光するようにしてもよい。ここでの発光は、たとえば所定の時間または回数の点滅とすることができる。具体的には、通信部２２がアドレス情報を取得してアドレスを設定した場合、発光モジュール２０が非スタンバイ状態に切り替わる。そして、通信部２２からのアドレス設定完了を示す信号に基づき発光制御部２４は発光部２６を点滅させる。所定の点滅を終えた発光モジュール２０は再び消灯する。なお、ここでの発光は、他の発光モジュール２０で光が検知されて検知情報が出力されない強度とする。そして、点滅を確認したユーザは未だ光を照射していない発光モジュール２０の発光部２６に光を照射する。
【００６０】
そして、光を照射された発光モジュール２０は、上記した処理を行う（ステップＳ１４〜Ｓ１９）ことにより、アドレスを設定する。このような処理が繰り返されることにより、全ての発光モジュール２０に対してアドレスが設定される。
【００６１】
このように、通信線３２に接続された発光モジュール２０に順に光が照射されることにより、制御部１０は、複数の発光モジュール２０のそれぞれに付与するアドレスを示すアドレス情報を生成し、生成したアドレス情報を発光モジュール２０に対して出力することとなる。また、制御部１０は、検知情報を取得した順番、すなわち光が照射された順番に基づいて、アドレス情報を生成し、付与できる。
【００６２】
ユーザが操作部４０に、アドレスモードを終了する旨の入力操作を行うと、操作部４０はアドレスモード終了指令を生成して制御部１０に出力する（ステップＳ２０）。そして、制御部１０は、アドレスモード終了指令を受信すると、たとえば図５（ｅ）に示すようなアドレスモード終了コマンドを作成し、制御部側通信インターフェース１２及び通信線３２を介して複数の発光モジュール２０各々に送信する（ステップＳ２１）。各発光モジュール２０では、通信部２２がアドレスモード終了コマンドを受信すると、アドレスモードが終了していなかった場合にはアドレスモードを終了し、発光モジュール２０を非スタンバイ状態にする。そうすることで、何らかの理由により、正常にアドレスが付与されなかった発光モジュール２０又はアドレスモードが終了しなかった発光モジュール２０が存在しても、非スタンバイ状態に切り替えることができる。
【００６３】
また、制御部１０は、アドレスモード終了指令を受信しない場合でも、発光モジュール２０から所定の時間アドレス要求コマンドを受信しなかった場合に、上記と同様に、複数の発光モジュール２０にアドレスモード終了コマンドを送信してもよい。
【００６４】
また、制御部１０は、予め定められた所定の数のアドレスを通信線３２に出力し終えたときに、上記と同様に、複数の発光モジュール２０にアドレスモード終了コマンドを送信してもよい。たとえば、所定の数を示す情報は、ユーザによって予め入力されて図示しない記憶部に保持されており、制御部１０はその記憶部から所定の数を示す情報を読み出すことができる。
【００６５】
以上の方法によれば、複数の発光モジュール２０のアドレスは、光が照射された順序の通りに設定される。このため、ユーザは、複数の発光モジュール２０を設置した後、順に光を照射すれば、所望の通りに複数の発光モジュール２０にアドレスを設定できる。そして、光を照射した順番を把握しておけば、設定したアドレスと対応する発光モジュール２０の位置を対応づけて制御できる。
【００６６】
また、コマンドを送信するのは、発光部２６に光が照射された発光モジュール２０のみである。よって、複数の機器からの送信コマンドが衝突する恐れがない。
【００６７】
なお、発光モジュール２０の一部を交換してアドレスを再設定する場合も、上記の手順と同様にアドレス付与が行える。具体的には、発光モジュール２０の一部を交換した後、ユーザは、操作部４０に、アドレスモードに設定する旨の入力操作を行う。すると、操作部４０はアドレス付与指令を生成して制御部１０に出力する（ステップＳ１０）。制御部１０は、アドレス付与指令を受信すると、アドレスモード開始コマンドを作成し、作成したアドレスモード開始コマンドを、制御部側通信インターフェース１２及び通信線３２を介して複数の発光モジュール２０各々に送信する（ステップＳ１１）。各発光モジュール２０は、通信インターフェース２３が制御部側通信インターフェース１２から送信されたアドレスモード開始コマンドを受信するとスタンバイ状態となる。その後、ステップＳ１２以降に示した処理が行われる。
【００６８】
以下に、制御部１０が発光モジュール２０の発光を制御する方法について説明する。全ての通信部２２に対してアドレスが設定された後、制御部１０は、発光モジュール２０の発光を制御するための制御データ（例えば発光パターンを示すデータ）を、対象となる発光モジュール２０のアドレスに対応付けて通信線３２に出力する。通信部２２は、その発光モジュール２０のアドレスに対応する制御データが通信線３２に出力されると、その制御データを発光制御部２４に受信させる。発光制御部２４は、受信した制御データに基づいて発光部２６の発光を制御する。
【００６９】
図７は、制御部１０が発光制御部２４に送信する制御データのフォーマットの一例を示す図である。上記したように、照明制御を行うとき、スタートコードとしては、ヌルコマンド（００ｈ）が使用される。そして、残りのバイトに、各発光モジュール２０における発光部２６の発光強度を示すデータが、アドレス順に格納される。本図に示す例では、発光モジュール２０は３色（赤、緑、青）の発光層を有しているため、一つの発光モジュール２０に対して３バイトの信号が用いられる。赤、緑、青の３スロットの先頭位置であるスロットｎが、ＤＭＸアドレスに相当する。
【００７０】
発光制御時においては、制御部１０は、ユーザによる操作部４０への入力操作によって調色指令が操作部４０から出力されると、複数の発光モジュール２０のそれぞれ、すなわち、ＤＭＸアドレスそれぞれに対するＲＢＧの強度データを含む調色コマンドを作成する。この調色コマンドは、図７に示したようなデータフォーマットを有している。そして、調色コマンドは、制御部側通信インターフェース１２および通信線３２を介して複数の発光モジュール２０に送信される。
【００７１】
各発光モジュール２０においては、通信インターフェース２３が調色コマンドを受信すると、通信部２２に供給される。そして、通信部２２はコマンドのスロット０がヌルコマンドを示すことを検出すると、上記したステップＳ１８で設定された自身のＤＭＸアドレスに対応した調色コマンドのスロットから、連続した３スロットのデータを赤の輝度データ、緑の輝度データ、および青の輝度データとして取り出す。そして、それらの輝度データが発光制御部２４に供給される。発光制御部２４は、発光部２６の第１電極２０２と第２電極２１２（Ｒ）の間に赤の輝度データに対応した大きさの駆動電流を供給し、第１電極２０２と第２電極２１２（Ｇ）の間に緑の輝度データに対応した大きさの駆動電流を供給し、第１電極２０２と第２電極２１２（Ｂ）の間に青の輝度データに対応した大きさの駆動電流を供給する。これらの駆動電流の供給により、発光部２６の発光色が調色される。
【００７２】
なお、発光モジュール２０が白色照明パネル等である場合、発光部２６は、いずれの領域においても発光層２０８（図４に図示）が同一の層構造を有していてもよい。たとえば発光層２０８は、複数の色を発光するための材料を混ぜることにより、白色の光を発光するように構成されていても良い。また発光層２０８は、複数の発光層を積層させた構成を有していてもよい。この場合、複数の発光層は、互いに異なる色の光（例えば赤、緑、及び青）である。そして複数の発光層が同時に発光することにより、発光装置は白色に発光する。また、制御部１０が発光制御部２４に送信する制御データにおいて、一つの発光モジュール２０に対して１バイトを割り当てれば足りる。
【００７３】
以上、本実施例においても、実施形態と同様、発光モジュール２０は、発光部２６に照射された光を検知する検知部２７と、検知部２７の検知結果に基づく検知情報を制御部１０に送信する通信部２２とを有する。そして制御部１０は、取得した検知情報に基づいて、複数の発光モジュール２０を制御する。したがって、発光部２６に光を照射することにより、各発光モジュール２０を容易に制御することができる。
【００７４】
また、複数の発光モジュール２０のアドレスは、光が照射された順序の通りに設定される。このため、ユーザは、複数の発光モジュール２０を設置した後、順に光を照射すれば、所望の通りに複数の発光モジュール２０にアドレスを設定できる。
【００７５】
また、通信部２２は、検知情報を送信する前は通信線３２からの信号を受け付けない。このため、複数の通信部２２に同一のアドレスが設定されることを抑制できる。
【００７６】
以上、図面を参照して実施形態及び実施例について述べたが、これらは本発明の例示であり、上記以外の様々な構成を採用することもできる。
【符号の説明】
【００７７】
１０  制御部
１２  制御部側通信インターフェース
２０  発光モジュール
２１  記憶部
２２  通信部
２３  通信インターフェース
２４  発光制御部
２５  判定部
２６  発光部
２７  検知部
３０  演算処理装置
３２  通信線
４０  操作部
１００  発光システム
２００  基板
２０２  第１電極
２０４  隔壁
２０６  ホール注入層
２０８  発光層
２１０  電子注入層
２１２  第２電極
２２０  光取出層
２３０  発光パネル
【図１】
2017182896.tif 000003
【図２】
2017182896.tif 000004
【図３】
2017182896.tif 000005
【図４】
2017182896.tif 000006
【図５】
2017182896.tif 000007
【図６】
2017182896.tif 000008
【図７】
2017182896.tif 000009